(57)【要約】  リピータ機能を向上させるための、リピータ中に埋め込まれた移動局モデム（ＭＳＭ）を含む、方法および装置が提供される。ＭＳＭは、基地局から受信した１つまたは複数の信号に基づいて基地局のタイミングを判断することができる。そのタイミングを使用して、リピータは、タイミングを基地局のタイミングに整合させたり、受信信号のサイクリックプレフィックスを判断したり、受信信号からのエコーを消去したり、アップリンク信号を受信することとダウンリンク信号を受信することとの間で切り替えたり、タイミングに従ってＰＲＳを送信したりなどすることができる。
2013542639.tif 000002
【特許請求の範囲】
【請求項１】
１つまたは複数の基地局からの１つまたは複数の信号を受信することと、
前記１つまたは複数の信号に少なくとも部分的に基づいて前記１つまたは複数の基地局のタイミングを取得することと、
前記１つまたは複数の基地局の前記タイミングに少なくとも部分的に基づいて前記１つまたは複数の信号を再送信することと
を備える、ワイヤレス通信のための方法。
【請求項２】
前記１つまたは複数の基地局の前記タイミングに少なくとも部分的に基づいて前記１つまたは複数の信号からのエコーを消去することをさらに備える、請求項１に記載の方法。
【請求項３】
前記１つまたは複数の基地局の前記タイミングに従って高速フーリエ変換ブロック構造を前記１つまたは複数の信号と整合させることをさらに備え、前記１つまたは複数の信号からの前記エコーを前記消去することが、前記高速フーリエ変換ブロック構造を前記整合させることに少なくとも部分的に基づく、請求項２に記載の方法。
【請求項４】
前記１つまたは複数の信号の１つまたは複数の情報ブロックに少なくとも部分的に基づいて前記１つまたは複数の信号のサイクリックプレフィックスを判断することをさらに備え、前記エコーを前記消去することが、さらに、前記１つまたは複数の信号から前記サイクリックプレフィックスを除去することに少なくとも部分的に基づく、請求項３に記載の方法。
【請求項５】
前記１つまたは複数の基地局の前記タイミングに少なくとも部分的に基づいて前記１つまたは複数の基地局からのダウンリンク送信の時間期間を判断することと、
前記１つまたは複数の信号を増幅することであって、前記１つまたは複数の信号を前記受信することが、前記時間期間中に前記１つまたは複数の信号を受信することを含む、増幅することと
をさらに備える、請求項１に記載の方法。
【請求項６】
前記１つまたは複数の基地局の前記タイミングに少なくとも部分的に基づいて１つまたは複数のデバイスから前記１つまたは複数の基地局へのアップリンク送信の異なる時間期間を判断することと、
前記異なる時間期間中に前記１つまたは複数のデバイスから受信したアップリンク信号を増幅し、再送信するように、ガード期間中に切り替えることと
をさらに備える、請求項５に記載の方法。
【請求項７】
前記１つまたは複数の基地局の前記タイミングに少なくとも部分的に基づいて前記１つまたは複数の基地局が測位基準信号を送信する時間期間を判断することとをさらに備える、請求項１に記載の方法。
【請求項８】
前記時間期間を介して受信した前記測位基準信号を再送信することを控えることをさらに備える、請求項７に記載の方法。
【請求項９】
前記１つまたは複数の基地局の前記タイミングに少なくとも部分的に基づいて、異なる時間期間中に異なる測位基準信号を送信することをさらに備える、請求項８に記載の方法。
【請求項１０】
前記１つまたは複数の基地局の前記タイミングに少なくとも部分的に基づいて前記時間期間中に、前に受信した測位基準信号を送信することをさらに備える、請求項７に記載の方法。
【請求項１１】
前記１つまたは複数の基地局の前記タイミングを前記取得することが、前記１つまたは複数の信号を増幅することと、増幅された前記１つまたは複数の信号を処理するために組込み移動局モデム（ＭＳＭ）を利用することとを備える、請求項１に記載の方法。
【請求項１２】
前記１つまたは複数の基地局の前記タイミングを前記取得することが、増幅された前記１つまたは複数の信号に少なくとも部分的に基づいて、前記１つまたは複数の基地局に関係する１つまたは複数のパラメータを判断するために前記組込みＭＳＭを利用することを含む、請求項１１に記載の方法。
【請求項１３】
前記ＭＳＭを介して前記１つまたは複数の基地局から１つまたは複数の異なる信号を受信することに少なくとも部分的に基づいて前記１つまたは複数の基地局の前記タイミングを近似することをさらに備え、前記１つまたは複数の基地局の前記タイミングを前記取得することが、前記１つまたは複数の基地局から受信した１つまたは複数のタイミングアドバンスコマンドに従って前記１つまたは複数の基地局の前記タイミングを補正することを備える、請求項１１に記載の方法。
【請求項１４】
前記１つまたは複数の信号が受信される１つまたは複数の時間期間中に信号送信を中止することをさらに備え、前記１つまたは複数の基地局の前記タイミングを前記取得することが、前記１つまたは複数の信号を受信し、処理するために、組込み移動局モデムを利用することを備える、請求項１に記載の方法。
【請求項１５】
信号を再送信するために基地局タイミングを利用するための装置であって、
１つまたは複数の基地局からの１つまたは複数の信号を取得することと、
前記１つまたは複数の信号に少なくとも部分的に基づいて前記１つまたは複数の基地局のタイミングを判断することと、
前記１つまたは複数の基地局の前記タイミングに少なくとも部分的に基づいて前記１つまたは複数の信号を再送信することと
を行うように構成された少なくとも１つのプロセッサと、
前記少なくとも１つのプロセッサに結合されたメモリと
を備える、装置。
【請求項１６】
前記少なくとも１つのプロセッサが、前記１つまたは複数の基地局の前記タイミングに少なくとも部分的に基づいて前記１つまたは複数の信号からのエコーを消去するようにさらに構成された、請求項１５に記載の装置。
【請求項１７】
前記少なくとも１つのプロセッサが、前記１つまたは複数の信号からの前記エコーを消去するために、前記１つまたは複数の基地局の前記タイミングに従って高速フーリエ変換ブロック構造を前記１つまたは複数の信号に整合させるようにさらに構成された、請求項１６に記載の装置。
【請求項１８】
前記少なくとも１つのプロセッサが、前記１つまたは複数の信号の１つまたは複数の情報ブロックに少なくとも部分的に基づいて前記１つまたは複数の信号のサイクリックプレフィックスを判断することと、前記エコーを消去することを可能にするために前記１つまたは複数の信号から前記サイクリックプレフィックスを削除することとを行うようにさらに構成された、請求項１７に記載の装置。
【請求項１９】
前記少なくとも１つのプロセッサが、
前記１つまたは複数の基地局の前記タイミングに少なくとも部分的に基づいて前記１つまたは複数の基地局からのダウンリンク送信の時間期間を判断することと、
前記１つまたは複数の信号を増幅することであって、前記少なくとも１つのプロセッサが、前記時間期間中に前記１つまたは複数の信号を受信する、増幅することと
を行うようにさらに構成された、請求項１５に記載の装置。
【請求項２０】
前記少なくとも１つのプロセッサが、
前記１つまたは複数の基地局の前記タイミングに少なくとも部分的に基づいて１つまたは複数のデバイスから前記１つまたは複数の基地局へのアップリンク送信の異なる時間期間を判断することと、
前記異なる時間期間中に前記１つまたは複数のデバイスから受信したアップリンク信号を増幅し、再送信するように、ガード期間中に切り替えることと
を行うようにさらに構成された、請求項１９に記載の装置。
【請求項２１】
前記少なくとも１つのプロセッサは、前記１つまたは複数の基地局の前記タイミングに少なくとも部分的に基づいて前記１つまたは複数の基地局が測位基準信号を送信する時間期間を判断するようにさらに構成された、請求項１５に記載の装置。
【請求項２２】
前記少なくとも１つのプロセッサが、前記測位基準信号を送信することを控えるようにさらに構成された、請求項２１に記載の装置。
【請求項２３】
前記少なくとも１つのプロセッサが、前記１つまたは複数の基地局の前記タイミングに少なくとも部分的に基づいて異なる時間期間中に異なる測位基準信号を送信するようにさらに構成された、請求項２２に記載の装置。
【請求項２４】
前記少なくとも１つのプロセッサが、前記１つまたは複数の基地局の前記タイミングに少なくとも部分的に基づいて前記時間期間中に、前に受信した基準信号を送信するようにさらに構成された、請求項２１に記載の装置。
【請求項２５】
前記少なくとも１つのプロセッサが、前記１つまたは複数の信号を増幅することと、増幅された前記１つまたは複数の信号を処理するために組込み移動局モデム（ＭＳＭ）を利用することとを少なくとも部分的に行う前記１つまたは複数の基地局の前記タイミングを判断する、請求項１５に記載の装置。
【請求項２６】
前記少なくとも１つのプロセッサが、増幅された前記１つまたは複数の信号に少なくとも部分的に基づいて、前記１つまたは複数の基地局に関係する１つまたは複数のパラメータを判断するために前記組込みＭＳＭを利用することに少なくとも部分的によって前記１つまたは複数の基地局の前記タイミングを判断する、請求項２５に記載の装置。
【請求項２７】
前記少なくとも１つのプロセッサが、前記ＭＳＭを介して前記１つまたは複数の基地局から１つまたは複数の異なる信号を受信することに少なくとも部分的に基づいて前記１つまたは複数の基地局の前記タイミングを近似するようにさらに構成され、前記少なくとも１つのプロセッサが、前記１つまたは複数の基地局から受信した１つまたは複数のタイミングアドバンスコマンドに従って前記１つまたは複数の基地局のタイミングを補正することに少なくとも部分的によって前記１つまたは複数の基地局の前記タイミングを判断する、請求項２５に記載の装置。
【請求項２８】
前記少なくとも１つのプロセッサは、前記１つまたは複数の信号が取得される１つまたは複数の時間期間中に信号送信を中止するようにさらに構成され、前記少なくとも１つのプロセッサが、前記１つまたは複数の信号を取得し、処理するために組込み移動局モデムを利用することに少なくとも部分的によって前記１つまたは複数の基地局の前記タイミングを判断する、請求項１５に記載の装置。
【請求項２９】
基地局タイミングに基づいて信号を再送信するための装置であって、
１つまたは複数の基地局からの１つまたは複数の信号を受信するための手段と、
前記１つまたは複数の信号に少なくとも部分的に基づいて前記１つまたは複数の基地局のタイミングを取得するための手段と、
前記１つまたは複数の基地局の前記タイミングに少なくとも部分的に基づいて前記１つまたは複数の信号を再送信するための手段と
を備える、装置。
【請求項３０】
前記１つまたは複数の基地局の前記タイミングに少なくとも部分的に基づいて前記１つまたは複数の信号からのエコーを消去するための手段をさらに備える、請求項２９に記載の装置。
【請求項３１】
消去するための前記手段が、前記１つまたは複数の基地局の前記タイミングに従って高速フーリエ変換ブロック構造を前記１つまたは複数の信号と整合させることに少なくとも部分的に基づいて前記エコーを消去する、請求項３０に記載の装置。
【請求項３２】
消去するための前記手段が、前記１つまたは複数の信号の１つまたは複数の情報ブロックに少なくとも部分的に基づいて前記１つまたは複数の信号のサイクリックプレフィックスを判断し、消去するための前記手段が、前記１つまたは複数の信号から前記サイクリックプレフィックスを削除することに少なくとも部分的に基づいて前記エコーを消去する、請求項３１に記載の装置。
【請求項３３】
取得するための前記手段が、前記１つまたは複数の基地局の前記タイミングに少なくとも部分的に基づいて前記１つまたは複数の基地局からのダウンリンク送信の時間期間をさらに判断し、前記１つまたは複数の信号を増幅するための手段をさらに備え、受信するための前記手段が、前記時間期間中に前記１つまたは複数の信号を受信する、請求項２９に記載の装置。
【請求項３４】
取得するための前記手段が、前記１つまたは複数の基地局の前記タイミングに少なくとも部分的に基づいて１つまたは複数のデバイスから前記１つまたは複数の基地局へのアップリンク送信の異なる時間期間をさらに判断し、前記異なる時間期間中に前記１つまたは複数のデバイスによって送信されるアップリンク信号について、ガード期間中に、受信構成要素、増幅構成要素、および／または再送信構成要素を切り替えるための手段をさらに備える、請求項３３に記載の装置。
【請求項３５】
前記１つまたは複数の基地局の前記タイミングに少なくとも部分的に基づいて前記１つまたは複数の基地局が測位基準信号を送信する時間期間を判断するための手段をさらに備える、請求項２９に記載の装置。
【請求項３６】
再送信するための前記手段が、前記時間期間を介して受信した前記測位基準信号を再送信することを控える、請求項３５に記載の装置。
【請求項３７】
再送信するための前記手段が、前記１つまたは複数の基地局の前記タイミングに少なくとも部分的に基づいて異なる時間期間中に異なる測位基準信号を送信する、請求項３６に記載の装置。
【請求項３８】
再送信するための前記手段が、前記１つまたは複数の基地局の前記タイミングに少なくとも部分的に基づいて前記時間期間中に、前に受信した測位基準信号を送信する、請求項３５に記載の装置。
【請求項３９】
前記１つまたは複数の信号を増幅するための手段をさらに備え、前記１つまたは複数の基地局の前記タイミングを取得するための前記手段が、増幅された前記１つまたは複数の信号を処理する組込み移動局モデム（ＭＳＭ）の一部である、請求項２９に記載の装置。
【請求項４０】
前記組込みＭＳＭが、増幅された前記１つまたは複数の信号に少なくとも部分的に基づいて、前記１つまたは複数の基地局に関係する１つまたは複数のパラメータを判断する、請求項３９に記載の装置。
【請求項４１】
取得するための前記手段が、前記ＭＳＭを介して前記１つまたは複数の基地局から１つまたは複数の異なる信号を受信することに少なくとも部分的に基づいて前記１つまたは複数の基地局の前記タイミングを近似し、前記１つまたは複数の基地局の前記タイミングを取得するための前記手段が、前記１つまたは複数の基地局から受信した１つまたは複数のタイミングアドバンスコマンドに従って前記１つまたは複数の基地局の前記タイミングを補正する、請求項３９に記載の装置。
【請求項４２】
再送信するための前記手段は、前記１つまたは複数の信号が受信される１つまたは複数の時間期間中に信号送信を中止し、前記１つまたは複数の基地局の前記タイミングを取得するための前記手段が、前記１つまたは複数の信号を受信し、処理する組込み移動局モデムの一部である、請求項２９に記載の装置。
【請求項４３】
信号を再送信するために基地局タイミングを利用するためのコンピュータプログラム製品であって、
少なくとも１つのコンピュータに、１つまたは複数の基地局からの１つまたは複数の信号を取得させるためのコードと、
前記少なくとも１つのコンピュータに、前記１つまたは複数の信号に少なくとも部分的に基づいて前記１つまたは複数の基地局のタイミングを判断させるためのコードと、
前記少なくとも１つのコンピュータに、前記１つまたは複数の基地局の前記タイミングに少なくとも部分的に基づいて前記１つまたは複数の信号を再送信させるためのコードと
を備える、コンピュータ可読媒体
を備える、コンピュータプログラム製品。
【請求項４４】
前記コンピュータ可読媒体が、前記少なくとも１つのコンピュータに、前記１つまたは複数の基地局の前記タイミングに少なくとも部分的に基づいて前記１つまたは複数の信号からのエコーを消去させるためのコードをさらに備える、請求項４３に記載のコンピュータプログラム製品。
【請求項４５】
前記コンピュータ可読媒体が、前記少なくとも１つのコンピュータに、前記１つまたは複数の信号からの前記エコーを消去するために、前記１つまたは複数の基地局の前記タイミングに従って高速フーリエ変換ブロック構造を前記１つまたは複数の信号に整合させるためのコードをさらに備える、請求項４４に記載のコンピュータプログラム製品。
【請求項４６】
前記コンピュータ可読媒体が、前記少なくとも１つのコンピュータに、前記１つまたは複数の信号の１つまたは複数の情報ブロックに少なくとも部分的に基づいて前記１つまたは複数の信号のサイクリックプレフィックスを判断することと、前記エコーを消去することを可能にするために前記１つまたは複数の信号から前記サイクリックプレフィックスを削除することとを行わせるためのコードをさらに備える、請求項４５に記載のコンピュータプログラム製品。
【請求項４７】
前記コンピュータ可読媒体が、
前記少なくとも１つのコンピュータに、前記１つまたは複数の基地局の前記タイミングに少なくとも部分的に基づいて前記１つまたは複数の基地局からのダウンリンク送信の時間期間を判断させるためのコードと、
前記少なくとも１つのコンピュータに、前記１つまたは複数の信号を増幅させるためのコードあって、前記少なくとも１つのコンピュータに受信させるためのコードが、前記時間期間中に前記１つまたは複数の信号を受信する、増幅させるためのコードと
をさらに備える、請求項４３に記載のコンピュータプログラム製品。
【請求項４８】
前記コンピュータ可読媒体が、
前記少なくとも１つのコンピュータに、前記１つまたは複数の基地局の前記タイミングに少なくとも部分的に基づいて１つまたは複数のデバイスから前記１つまたは複数の基地局へのアップリンク送信の異なる時間期間を判断させるためのコードと、
前記少なくとも１つのコンピュータに、前記異なる時間期間中に前記１つまたは複数のデバイスから受信したアップリンク信号を増幅し、再送信するように、ガード期間中に切り替えさせるためのコードと
をさらに備える、請求項４７に記載のコンピュータプログラム製品。
【請求項４９】
前記コンピュータ可読媒体が、前記少なくとも１つのコンピュータに、前記１つまたは複数の基地局の前記タイミングに少なくとも部分的に基づいて前記１つまたは複数の基地局が測位基準信号を送信する時間期間を判断させるためのコードをさらに備える、請求項４３に記載のコンピュータプログラム製品。
【請求項５０】
前記コンピュータ可読媒体が、前記少なくとも１つのコンピュータに、前記測位基準信号を送信することを控えさせるためのコードをさらに備える、請求項４９に記載のコンピュータプログラム製品。
【請求項５１】
前記コンピュータ可読媒体が、前記少なくとも１つのコンピュータに、前記１つまたは複数の基地局の前記タイミングに少なくとも部分的に基づいて異なる時間期間中に異なる測位基準信号を送信させるためのコードをさらに備える、請求項５０に記載のコンピュータプログラム製品。
【請求項５２】
前記コンピュータ可読媒体が、前記少なくとも１つのコンピュータに、前記１つまたは複数の基地局の前記タイミングに少なくとも部分的に基づいて前記時間期間中に、前に受信した基準信号を送信させるためのコードをさらに備える、請求項４９に記載のコンピュータプログラム製品。
【請求項５３】
前記少なくとも１つのコンピュータに判断させるための前記コードが、前記１つまたは複数の信号を増幅することと、増幅された前記１つまたは複数の信号を処理するために組込み移動局モデム（ＭＳＭ）を利用することとを少なくとも部分的に行う前記１つまたは複数の基地局の前記タイミングを判断する、請求項４３に記載のコンピュータプログラム製品。
【請求項５４】
前記少なくとも１つのコンピュータに判断させるための前記コードが、増幅された前記１つまたは複数の信号に少なくとも部分的に基づいて、前記１つまたは複数の基地局に関係する１つまたは複数のパラメータを判断するために前記組込みＭＳＭを利用することに少なくとも部分的によって前記１つまたは複数の基地局の前記タイミングを判断する、請求項５３に記載のコンピュータプログラム製品。
【請求項５５】
前記コンピュータ可読媒体が、前記少なくとも１つのコンピュータに、前記ＭＳＭを介して前記１つまたは複数の基地局から１つまたは複数の異なる信号を受信することに少なくとも部分的に基づいて前記１つまたは複数の基地局の前記タイミングを近似させるためのコードをさらに備え、前記少なくとも１つのコンピュータに判断させるため前記のコードが、前記１つまたは複数の基地局から受信した１つまたは複数のタイミングアドバンスコマンドに従って前記１つまたは複数の基地局のタイミングを補正することに少なくとも部分的によって前記１つまたは複数の基地局の前記タイミングを判断する、請求項５３に記載のコンピュータプログラム製品。
【請求項５６】
前記コンピュータ可読媒体が、前記少なくとも１つのコンピュータに、前記１つまたは複数の信号が取得される１つまたは複数の時間期間中に信号送信を中止させるためのコードをさらに備え、前記少なくとも１つのコンピュータに判断させるための前記コードが、前記１つまたは複数の信号を取得し、処理するために組込み移動局モデムを利用することに少なくとも部分的によって前記１つまたは複数の基地局の前記タイミングを判断する、請求項４３に記載のコンピュータプログラム製品。
【請求項５７】
基地局タイミングに基づいて信号を再送信するための装置であって、
１つまたは複数の基地局からの１つまたは複数の信号を受信するための受信構成要素と、
前記１つまたは複数の信号に少なくとも部分的に基づいて前記１つまたは複数の基地局のタイミングを取得するための探索構成要素と、
前記１つまたは複数の基地局の前記タイミングに少なくとも部分的に基づいて前記１つまたは複数の信号を再送信するための再送信構成要素と
を備える、装置。
【請求項５８】
前記１つまたは複数の基地局の前記タイミングに少なくとも部分的に基づいて前記１つまたは複数の信号からのエコーを消去するためのエコー消去構成要素をさらに備える、請求項５７に記載の装置。
【請求項５９】
前記エコー消去構成要素が、前記１つまたは複数の基地局の前記タイミングに従って高速フーリエ変換ブロック構造を前記１つまたは複数の信号と整合させることに少なくとも部分的に基づいて前記エコーを消去する、請求項５８に記載の装置。
【請求項６０】
前記エコー消去構成要素が、前記１つまたは複数の信号の１つまたは複数の情報ブロックに少なくとも部分的に基づいて前記１つまたは複数の信号のサイクリックプレフィックスを判断し、前記エコー消去構成要素が、前記１つまたは複数の信号の前記サイクリックプレフィックスを削除することに少なくとも部分的に基づいて前記エコーを消去する、請求項５９に記載の装置。
【請求項６１】
前記探索構成要素が、前記１つまたは複数の基地局の前記タイミングに少なくとも部分的に基づいて前記１つまたは複数の基地局からのダウンリンク送信の時間期間をさらに判断し、前記１つまたは複数の信号を増幅するための増幅構成要素をさらに備え、受信するための前記手段が、前記時間期間中に前記１つまたは複数の信号を受信する、請求項５７に記載の装置。
【請求項６２】
前記探索構成要素が、前記１つまたは複数の基地局の前記タイミングに少なくとも部分的に基づいて１つまたは複数のデバイスから前記１つまたは複数の基地局へのアップリンク送信の異なる時間期間をさらに判断し、前記異なる時間期間中に前記１つまたは複数のデバイスによって送信されるアップリンク信号について、ガード期間中に、前記受信構成要素、前記増幅構成要素、および／または前記再送信構成要素を切り替えるための受信機切替え構成要素をさらに備える、請求項６１に記載の装置。
【請求項６３】
前記１つまたは複数の基地局の前記タイミングに少なくとも部分的に基づいて前記１つまたは複数の基地局が測位基準信号を送信する時間期間を判断するための測位基準信号構成要素をさらに備える、請求項５７に記載の装置。
【請求項６４】
前記再送信構成要素が、前記時間期間を介して受信した前記測位基準信号を再送信することを控える、請求項６３に記載の装置。
【請求項６５】
前記再送信構成要素が、前記１つまたは複数の基地局の前記タイミングに少なくとも部分的に基づいて、異なる時間期間中に異なる測位基準信号を送信する、請求項６４に記載の装置。
【請求項６６】
前記再送信構成要素が、前記１つまたは複数の基地局の前記タイミングに少なくとも部分的に基づいて前記時間期間中に、前に受信した測位基準信号を送信する、請求項６３に記載の装置。
【請求項６７】
前記１つまたは複数の信号を増幅するための増幅構成要素をさらに備え、前記探索構成要素が、増幅された前記１つまたは複数の信号を処理する組込み移動局モデム（ＭＳＭ）の一部である、請求項５７に記載の装置。
【請求項６８】
前記組込みＭＳＭが、増幅された前記１つまたは複数の信号に少なくとも部分的に基づいて、前記１つまたは複数の基地局に関係する１つまたは複数のパラメータを判断する、請求項６７に記載の装置。
【請求項６９】
前記探索構成要素が、前記ＭＳＭを介して前記１つまたは複数の基地局から１つまたは複数の異なる信号を受信することに少なくとも部分的に基づいて前記１つまたは複数の基地局の前記タイミングを近似し、前記探索構成要素が、前記１つまたは複数の基地局から受信した１つまたは複数のタイミングアドバンスコマンドに従って前記１つまたは複数の基地局の前記タイミングを補正する、請求項６７に記載の装置。
【請求項７０】
前記再送信構成要素は、前記１つまたは複数の信号が受信される１つまたは複数の時間期間中に信号送信を中止し、前記探索構成要素が、前記１つまたは複数の信号を受信し、処理する組込み移動局モデムの一部である、請求項５７に記載の装置。
【発明の詳細な説明】
【技術分野】
【０００１】
米国特許法第１１９条に基づく優先権の主張 
本特許出願は、本出願の譲受人に譲渡され、参照により本明細書に明確に組み込まれる、２０１０年９月１３日に出願された「Method and Apparatus for Utilizing Embedded Mobile Station Modem Timing in Repeaters」と題する仮出願第６１／３８２，３８３号の優先権を主張する。
【０００２】
以下の説明は、一般にワイヤレスネットワーク通信に関し、より詳細には、リピータに関する。
【背景技術】
【０００３】
ワイヤレス通信システムは、たとえば、ボイス、データなど、様々なタイプの通信コンテンツを提供するために広く展開されている。典型的なワイヤレス通信システムは、使用可能なシステムリソース（たとえば、帯域幅、送信電力、．．．）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。さらに、システムは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）（たとえば、３ＧＰＰ  ＬＴＥ（Ｌｏｎｇ  Ｔｅｒｍ  Ｅｖｏｌｕｔｉｏｎ）／ＬＴＥ−Ａｄｖａｎｃｅｄ）、Ｕｌｔｒａ  Ｍｏｂｉｌｅ  Ｂｒｏａｄｂａｎｄ（ＵＭＢ）、Ｅｖｏｌｕｔｉｏｎ  Ｄａｔａ  Ｏｐｔｉｍｉｚｅｄ（ＥＶ−ＤＯ）などの規格に準拠することができる。
【０００４】
一般に、ワイヤレス多元接続通信システムは、複数のモバイルデバイスのための通信を同時にサポートし得る。各モバイルデバイスは、順方向リンクおよび逆方向リンク上の送信を介して１つまたは複数の基地局と通信し得る。順方向リンク（またはダウンリンク）は基地局からモバイルデバイスへの通信リンクを指し、逆方向リンク（またはアップリンク）はモバイルデバイスから基地局への通信リンクを指す。さらに、モバイルデバイスと基地局との間の通信は、単入力単出力（ＳＩＳＯ）システム、多入力単出力（ＭＩＳＯ）システム、多入力多出力（ＭＩＭＯ）システムなどを介して確立され得る。
【０００５】
さらに、リピータは、いくつかのワイヤレス通信システムにおいて、受信アンテナを介して１つまたは複数の信号を受信し、その１つまたは複数の信号を増幅し、送信アンテナを介してその１つまたは複数の増幅信号を再送信することによって基地局カバレージを拡大するために使用され得る。しかしながら、リピータの使用は、ワイヤレスネットワーク動作にいくつかの問題を生じ得る。一例では、リピータによって送信された信号は、同様の時間期間中にリピータによって受信される、基地局からの信号にエコーを生じ得る。
【発明の概要】
【０００６】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００７】
１つまたは複数の態様およびそれの対応する開示に従って、本開示では、基地局からの信号を再送信するための基地局のタイミングを取得することに関する様々な態様について説明する。一例では、信号がそこから受信される基地局のタイミングをリピータにおいて取得するために、リピータ内に組み込まれたか、またはさもなければリピータに関連付けられた移動局モデム（ＭＳＭ）が使用され得る。たとえば、リピータは、増幅されたおよび／または受信された信号をＭＳＭに与えることができる。別の例では、リピータは、ＭＳＭが基地局からの信号を受信することができるように、信号を送信するのを中止することができる。いずれの場合も、ＭＳＭは、タイミングを判断するために、信号から情報ブロックを復号すること、信号のチャネルを推定することなどを行うことができる。タイミングを使用して、たとえば、リピータは、基地局から受信した信号からの、リピータによって再送信される信号についてのエコー消去をより正確に実行することができる。別の例では、タイミングを使用して、リピータは、アップリンク信号の受信、増幅、および／または基地局への再送信を行うべき時間期間を判断する。さらに別の例では、タイミングに少なくとも部分的に基づいて、リピータは、測位基準信号（ＰＲＳ：positioning reference signal）を再送信することを控えること、基地局と同様のタイミングにおいて基地局のためのＰＲＳを送信すること、基地局のＰＲＳに干渉しない別個のＰＲＳを送信することなどを行うことができ、それにより、デバイスがより正確な測位を実行することが可能になる。
【０００８】
一例によれば、１つまたは複数の基地局からの１つまたは複数の信号を受信することと、１つまたは複数の信号に少なくとも部分的に基づいて１つまたは複数の基地局のタイミングを取得することとを含むワイヤレス通信のための方法が提供される。本方法はまた、１つまたは複数の基地局のタイミングに少なくとも部分的に基づいて１つまたは複数の信号を再送信することを含む。
【０００９】
別の態様では、信号を再送信するために基地局タイミングを利用するための装置が提供される。本装置は、１つまたは複数の基地局からの１つまたは複数の信号を取得することと、１つまたは複数の信号に少なくとも部分的に基づいて１つまたは複数の基地局のタイミングを判断することとを行うように構成された少なくとも１つのプロセッサを含む。少なくとも１つのプロセッサは、１つまたは複数の基地局のタイミングに少なくとも部分的に基づいて１つまたは複数の信号を再送信するようにさらに構成される。本装置はまた、少なくとも１つのプロセッサに結合されたメモリを含む。
【００１０】
さらに別の態様では、１つまたは複数の基地局からの１つまたは複数の信号を受信するための手段と、１つまたは複数の信号に少なくとも部分的に基づいて１つまたは複数の基地局のタイミングを取得するための手段とを含む、基地局タイミングに基づいて信号を再送信するための装置が提供される。本装置は、１つまたは複数の基地局のタイミングに少なくとも部分的に基づいて１つまたは複数の信号を再送信するための手段をさらに含む。
【００１１】
さらに、別の態様では、少なくとも１つのコンピュータに、１つまたは複数の基地局からの１つまたは複数の信号を取得させるためのコードと、少なくとも１つのコンピュータに、１つまたは複数の信号に少なくとも部分的に基づいて１つまたは複数の基地局のタイミングを判断させるためのコードとを有するコンピュータ可読媒体を含む、信号を再送信するために基地局タイミングを利用するためのコンピュータプログラム製品が提供される。本コンピュータ可読媒体は、少なくとも１つのコンピュータに、１つまたは複数の基地局のタイミングに少なくとも部分的に基づいて１つまたは複数の信号を再送信させるためのコードをさらに含む。
【００１２】
さらに、一態様では、１つまたは複数の基地局からの１つまたは複数の信号を受信するための受信構成要素と、１つまたは複数の信号に少なくとも部分的に基づいて１つまたは複数の基地局のタイミングを取得するための探索構成要素とを含む、基地局タイミングに基づいて信号を再送信するための装置が提供される。本装置は、１つまたは複数の基地局のタイミングに少なくとも部分的に基づいて１つまたは複数の信号を再送信するための再送信構成要素をさらに含む。
【００１３】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００１４】
添付の図面とともに以下に説明する開示する態様は、開示する態様を限定するためではなく、開示する態様を例示するために与えられ、同様の表示は同様の要素を示す。
【図面の簡単な説明】
【００１５】
【図１】基地局のタイミングを判断することに基づいて受信信号を再送信することを可能にするシステムの一態様のブロック図。
【図２】基地局のタイミングを判断することに基づいて拡張リピータ機能を提供するためのシステムの一態様のブロック図。
【図３】基地局、リピータおよび、ユーザ機器の例示的な送信タイムラインの図。
【図４】測位基準信号（ＰＲＳ）を送信するための例示的な送信タイムラインの図。
【図５】基地局のタイミングに基づいて信号を再送信する方法の一態様のフローチャート。
【図６】基地局のタイミングに基づいて信号からのエコーを消去するための方法の一態様のフローチャート。
【図７】基地局のタイミングに基づいてアップリンク信号またはダウンリンク信号を受信するように切り替えるための方法の一態様のフローチャート。
【図８】基地局のＰＲＳを再送信することを控えるための方法の一態様のフローチャート。
【図９】基地局のタイミングに基づいてＰＲＳを送信するための方法の一態様のフローチャート。
【図１０】基地局のタイミングに基づいて異なるＰＲＳを送信するための方法の一態様のフローチャート。
【図１１】リピータ内に設けられ得る例示的なモバイルデバイスのブロック図。
【図１２】拡張リピータ機能を提供するシステムの一態様のブロック図。
【図１３】基地局のタイミングに基づいて信号を再送信するシステムの一態様のブロック図。
【図１４】本明細書に記載する様々な態様による、ワイヤレス通信システムの一態様のブロック図。
【図１５】本明細書で説明する様々なシステムおよび方法とともに採用され得るワイヤレスネットワーク環境の一態様の概略ブロック図。
【発明を実施するための形態】
【００１６】
次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施できることは明らかであろう。
【００１７】
本明細書でさらに説明するように、１つまたは複数の基地局のタイミングは、１つまたは複数の受信（たとえば、および／または増幅）信号に少なくとも部分的に基づいてリピータにおいて取得され得る。一例では、基地局からの信号は、リピータ中のモデム、たとえば、移動局モデム（ＭＳＭ：mobile station modem）に与えられるか、またはそれによって受信され得る。ＭＳＭは、たとえば、タイミングを取得するために信号の情報ブロックを復号すること、信号のチャネルを推定することなどを行うことができる。たとえば、リピータは、１つまたは複数の基地局から受信した信号に干渉する、リピータによって送信される信号のエコー消去を実行するために、そのタイミングを利用することができる。別の例では、リピータは、アップリンク送信および／またはダウンリンク送信の受信、増幅および／または再送信を行うための時間期間を判断するために、そのタイミングを利用することができる。さらに、たとえば、リピータは、測位基準信号（ＰＲＳ）または他の基準／ロケーション関連信号が１つまたは複数の基地局からいつ送信されたかを判断するためにタイミングを利用することができ、増幅ＰＲＳを再送信することを控えること、遅延なしにＰＲＳを送信すること、１つまたは複数の基地局のＰＲＳに干渉しない別個のＰＲＳを送信することなどを行うことができる。
【００１８】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行ファイル、実行スレッド、プログラム、および／またはコンピュータであり得るが、これらに限定されない。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素を１つのコンピュータ上に配置し、および／または２つ以上のコンピュータ間に分散し得る。さらに、これらの構成要素は、様々なデータ構造を記憶している様々なコンピュータ可読媒体から実行することができる。これらの構成要素は、ローカルシステム、分散システム、および／または他のシステムを用いるインターネットなどのネットワーク全体の中の別の構成要素と信号を介して対話する１つの構成要素からのデータなど、１つまたは複数のデータパケットを有する信号によるなど、ローカルプロセスおよび／またはリモートプロセスを介して通信し得る。
【００１９】
さらに、本明細書では、ワイヤード端末またはワイヤレス端末であり得る端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）等と呼ばれることもある。ワイヤレス端末は、セルラー電話、衛星フォン、コードレス電話、セッション開始プロトコル（ＳＩＰ）フォン、ワイヤレスローカルループ（ＷＬＬ）局、携帯情報端末（ＰＤＡ）、ワイヤレス接続機能を有するハンドヘルドデバイス、コンピューティングデバイス、タブレット、スマートブック、ネットブック、またはワイヤレスモデムに接続された他の処理デバイス等であり得る。さらに、本明細書では基地局に関する様々な態様について説明する。基地局は、（１つまたは複数の）ワイヤレス端末と通信するために利用され得、アクセスポイント、ノードＢ、発展型ノードＢ（ｅＮＢ）、または何らかの他の用語で呼ばれることもある。
【００２０】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。すなわち、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００２１】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥ／ＬＴＥ−ＡｄｖａｎｃｅｄおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００２２】
いくつかのデバイス、構成要素、モジュールなどを含み得るシステムに関して、様々な態様または特徴を提示する。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せも使用され得る。
【００２３】
図１を参照すると、リピータにおいて基地局タイミングを取得する例示的なワイヤレス通信システム１００が示されている。システム１００は、基地局１０４などの１つまたは複数の基地局からデバイス１０６などの１つまたは複数のデバイスへ、および／またはその逆へ信号を再送信するリピータ１０２を備える。たとえば、基地局１０４は、マクロセル、フェムトセル、ピコセル、または同様の基地局、モバイル基地局、リレーノード、（たとえば、デバイス１０６とピアツーピアまたはアドホックモードで通信する）デバイス、その一部分などであり得る。デバイス１０６は、ＵＥ、モデム（または他のテザーデバイス）、その一部分などであり得る。たとえば、リピータ１０２は、ワイヤードまたはワイヤレスバックホールリンクを介して基地局１０４からの信号を受信することに少なくとも部分的によって基地局１０４と通信することができ、基地局１０４の拡大カバレージエリアを与えること、デバイス１０６あるいは１つまたは複数の他のデバイスに対する基地局の信号対雑音比（ＳＮＲ）を改善することなどを行うために、（たとえば、デバイス１０６などの１つまたは複数のデバイスに）ワイヤレスアクセスリンクを介して信号を再送信することができる。別の例では、リピータ１０２は、追加または代替として、たとえば、それの信号品質を改善するためにデバイス１０６から基地局１０４に通信を再送信することができる。
【００２４】
リピータ１０２は、信号１２０および／または１２２など、１つまたは複数の基地局またはデバイスからの１つまたは複数の信号を取得するための受信構成要素１０８と、受信した１つまたは複数の信号に増幅を印加するための随意の増幅構成要素１１０とを備えることができる。リピータ１０２は、（たとえば、基地局１０４を介して）ワイヤレスネットワーク（図示せず）の１つまたは複数の構成要素と通信するためのＭＳＭ１１２と、信号１２４および／または１２６など、１つまたは複数の基地局またはデバイスから取得された１つまたは複数の信号を再送信する再送信構成要素１１４とをさらに備えることができる。さらに、ＭＳＭ１１２は、１つまたは複数の基地局またはデバイスから受信した１つまたは複数の信号に少なくとも部分的に基づいて１つまたは複数の基地局またはデバイスに関係するタイミング情報を少なくとも取得するための探索構成要素１１６を備えることができる。
【００２５】
一例によれば、基地局１０４は、信号を送信することができ、受信構成要素１０８は、（たとえば、１つまたは複数のアンテナを介して）信号を取得することができる。一例では、増幅構成要素１１０は、信号を増幅することができる。受信構成要素１０８または増幅構成要素１１０は、次いで、受信されたまたは増幅された信号をＭＳＭ１１２に与えることができる。一例では、再送信構成要素１１４は、再送信構成要素１１４によってエコーが生じることなしに、ＭＳＭ１１２が基地局１０４の信号を収集することができるように、ある時間期間にわたって再送信を中止することができる。ＭＳＭ１１２は、一般に、どの領域でどの周波数を増幅すべきか、許容利得など、リピータのための構成パラメータを受信するために、運用、アドミニストレーション、管理（ＯＡＭ：operations, administration, maintenance）サーバまたはワイヤレスネットワークの同様の構成要素と通信するためのリピータ１０２に設けられ得る。たとえば、ＭＳＭ１１２は、対応するワイヤレス通信システム中のＵＥまたはその一部分であり得、したがって、基地局からの信号を処理する能力があり得る。この点について、探索構成要素１１６は、受信信号を処理することに少なくとも部分的に基づいて基地局１０４に関する情報を取得することができる。
【００２６】
たとえば、探索構成要素１１６は、タイミングを示すことができる、信号中の情報ブロックを復号すること、（たとえば、高速フーリエ変換（ＦＦＴ）、逆ＦＦＴ（ＩＦＦＴ）などに基づくチャネル推定を使用して）信号中のチャネルを推定することなどを行うことに少なくとも部分的に基づいて、基地局１０４において信号送信に関係するタイミングなどの情報を取得することができる。この点について、ＭＳＭ１１２と対応する探索構成要素１１６とは、一例では、ワイヤレスネットワークにおいてＵＥの典型的な機能を実行することができる。基地局１０４の判断されたタイミングは、基地局１０４において通信フレームをある時間または時間期間に整合させることに対応することができ、または場合によってはそのことを可能にすることができる。通信フレームは、たとえば、基地局１０４がそれを介して直交周波数分割多重化（ＯＦＤＭ）構成において信号を送信するサブフレームであり得、またはそのサブフレームを含むことができる。したがって、一例では、タイミング整合は、１つまたは複数のサブフレーム境界を（たとえば、ミリ秒単位で）絶対時間または相対時間に整合させることに関係することができ、したがって１つまたは複数のデータシンボルの検索を可能にすることができる。さらに、探索構成要素１１６は、同様に、基地局１０４の他の情報を取得することなどを行うことができる。
【００２７】
この点について、たとえば、リピータ１０２は、リピータ機能を最適化するために、ＭＳＭ１１２によって収集された基地局１０４の情報を利用することができる。たとえば、本明細書でさらに説明するように、リピータ１０２は、基地局１０４の判断されたタイミングに少なくとも部分的に基づいてエコー消去を実行することができる。別の例では、リピータ１０２は、アップリンクおよびダウンリンク信号の受信、増幅、および／または再送信の間で切り替えるための時間を判断するためにタイミングを利用することができる。さらに、たとえば、リピータ１０２は、基地局１０４のＰＲＳを再送信することを回避すること、同様の時間期間においてＰＲＳを再送信すること、基地局１０４のＰＲＳに干渉しない別個のＰＲＳを送信することなどを行うために、基地局１０４のタイミングを利用することができる。さらに、受信構成要素１０８および／または増幅構成要素１１０は、ワイヤレスネットワーク中で再送信するため再送信構成要素１１４に信号を与えることができ、デバイス１０６は、リピータ１０２から再送信された信号および／または基地局１０４から送信された信号を受信することができることを諒解されたい。
【００２８】
図２を参照すると、基地局タイミングを利用することを可能にする例示的なワイヤレス通信システム２００が示されている。システム２００は、説明したように、基地局１０４などの１つまたは複数の基地局からデバイス１０６などの１つまたは複数のデバイスに、および／またはその逆に信号を再送信するリピータ１０２を備える。一代替では、測位サーバ２０８は、ロケーション（たとえば、絶対または相対）など、基地局１０４に関する測位情報、ＰＲＳ送信間隔などを記憶するために利用され得る。たとえば、測位サーバ２０８は、サービングモバイルロケーションセンター（ＳＭＬＣ：serving mobile location center）、発展型ＳＭＬＣ（ｅＳＭＬＣ）などであり得る。さらに、直接通信リンクとして示されているが、基地局１０４は、１つまたは複数の追加のコアネットワーク構成要素を介して測位サーバ２０８と通信することができることを諒解されたい。
【００２９】
リピータ１０２は、１つまたは複数の基地局またはデバイスからの１つまたは複数の信号を取得するための受信構成要素１０８と、受信した１つまたは複数の信号に増幅を印加するための随意の増幅構成要素１１０とを備えることができる。リピータ１０２は、（たとえば、基地局１０４を介して）ワイヤレスネットワーク（図示せず）の１つまたは複数の構成要素と通信するためのＭＳＭ１１２と、１つまたは複数の基地局またはデバイスから取得された１つまたは複数の信号を再送信する再送信構成要素１１４とをさらに備えることができる。さらに、リピータ１０２は、受信構成要素１０８によって受信された信号から再送信構成要素１１４によって生じるエコーを削除するためのエコー消去構成要素２０２、再送信のために受信構成要素１０８においてダウンリンク信号またはアップリンク信号を受信すべきかどうかを選択するための受信機切替え構成要素２０４、および／または１つまたは複数のＰＲＳまたは他の基準／ロケーション信号を送信および／または再送信すべきかどうかを判断するためのＰＲＳ構成要素２０６を随意に備えることができる。さらに、ＭＳＭ１１２は、１つまたは複数の基地局またはデバイスから受信した１つまたは複数の信号に少なくとも部分的に基づいて１つまたは複数の基地局またはデバイスに関係する情報を取得するための探索構成要素１１６を備えることができる。
【００３０】
一例によれば、受信構成要素１０８は、基地局１０４によって送信された信号を受信することができる。一例では、増幅構成要素１１０は、信号を増幅し、増幅信号をＭＳＭ１１２に与えることができる（たとえば、および／または受信構成要素１０８は、受信した信号をＭＳＭ１１２に与えることができる）。別の例では、ＭＳＭ１１２は、基地局１０４からの信号を直接受信することができる。信号は、たとえば、１つまたは複数の変調シンボル２１０を表すことができる。たとえば、これらは、ＯＦＤＭシンボルまたは同様のシンボルを含むことができる。いずれの場合も、探索構成要素１１６は、１つまたは複数のパイロット信号に基づいて信号のチャネルを推定することによって収集されるタイミング２１２、信号から復号された１つまたは複数のシンボル２１０で表された１つまたは複数のシステム情報ブロックからのサイクリックプレフィックス情報２１４などの信号から基地局１０４に関する情報を取得することができる。再送信構成要素１１４は、さらに、リピータ機能を提供するために、説明したように、受信構成要素１０８から受信した、および／または増幅構成要素１１０よって増幅された信号を再送信することができる。
【００３１】
しかしながら、さらに、リピータ１０２は、基地局１０４に関する信号から取得されたタイミング２１２、サイクリックプレフィックス情報２１４、および／または他の情報に少なくとも部分的に基づいて追加の機能を実行することができる。たとえば、エコー消去構成要素２０２は、ＭＳＭ１１２から取得された基地局１０４のタイミング２１２に少なくとも部分的に基づいて（たとえば、１つまたは複数のサブフレームに関係する）リピータ１０２のＦＦＴブロック構造を受信信号のＦＦＴブロック構造と整合させることができる。したがって、たとえば、ＭＳＭ１１２は判断されたタイミング（たとえば、信号が基地局１０４によって送信された時間）に基づいてＦＦＴブロック構造を信号に整合させ、それにより、信号によって表される対応するデータシンボルを取得するために信号のチャネルのより正確な推定が可能になる。さらに、この点について、エコー消去構成要素２０２は、ＭＳＭ１１２から取得されたサイクリックプレフィックス情報２１４に少なくとも部分的に基づいて信号からサイクリックプレフィックスを削除することができる。したがって、エコー消去構成要素２０２は、再送信された信号によって生じる、受信信号からのエコーを削除するために、（たとえば、整合されたＦＦＴブロックに基づいて）信号が基地局１０４から受信された時間に再送信された前の信号を信号から消去することができる。
【００３２】
たとえば、ＦＦＴブロック構造を整合させるＭＳＭ１１２は、信号の直交性を維持することを可能にし、したがって、エコー消去構成要素２０２は、ＦＦＴブロック構造整合に基づいて、サイクリックプレフィックスを削除した後に、信号から再送信された信号を減算して基地局１０４によって送信された信号を生じることができる。さらに、一例では、エコー消去構成要素２０２は、受信信号からのエコーを削除することができ、増幅構成要素１１０は、エコー消去信号を増幅することができる。いずれの場合も、再送信構成要素１１４は、エコーが削除された信号を再送信することができる。別の例では、エコー消去構成要素２０２は、受信構成要素１０８において基地局１０４から受信した後続の信号からのエコーを消去するために、サイクリックプレフィックスおよび／またはタイミング情報を利用することができる。一例では、この点について、基地局１０４のタイミングおよび／または他の情報を判断するためにエコー消去信号がＭＳＭ１１２に与えられ得る。
【００３３】
別の例では、受信機切替え構成要素２０４は、ＭＳＭ１１２によって取得された、基地局１０４のタイミングに少なくとも部分的に基づいて、再送信構成要素１１４による再送信のために受信構成要素１０８において基地局１０４からのダウンリンク信号またはデバイス１０６からのアップリンク信号をいつ受信すべきかについて判断する。たとえば、タイミングに少なくとも部分的に基づいて、受信機切替え構成要素２０４は、（たとえば、前に説明したように、整合に基づく）基地局１０４タイミングに従ってダウンリンク送信およびアップリンク送信がいつ行われるかを判断することができる。したがって、受信機切替え構成要素２０４は、整合に従ってダウンリンク信号がスケジュールされるときにバックホールリンクを介して受信するように受信構成要素１０８を切り替えることができ、および／またはアップリンク信号がスケジュールされるときにアクセスリンクを介して受信するように受信構成要素１０８を切り替えることができる。一例では、受信機切替え構成要素２０４は、リピータ１０２における電力増幅の非線形性による影響を緩和するために、ガード期間中に受信構成要素１０８を切り替えることができる。たとえば、ガード期間は、送信のために利用される隣接サブフレームへの信号漏れを緩和するために、送信のために利用されない、ダウンリンク送信とアップリンク送信との間の１つまたは複数のサブフレームまたは他の期間に対応することができる。さらに、一例では、再送信構成要素１１４はまた、受信構成要素１０８において受信したダウンリンク信号またはアップリンク信号を再送信するように切り替えられ得る。
【００３４】
さらに、一例では、ＰＲＳ構成要素２０６は、ＰＲＳを送信するために、ＭＳＭ１１２によって取得された、基地局１０４のタイミングを利用することができる。一例では、ＭＳＭ１１２は、測位サーバ２０８から基地局１０４によって送信されたＰＲＳに関する１つまたは複数のパラメータを取得することができる。たとえば、ＭＳＭ１１２は、その間に基地局１０４が測位サーバ２０８からＰＲＳを送信する１つまたは複数の時間期間（たとえば、サブフレーム）を判断することができる。一例では、これは、測位サーバ２０８から時間間隔を受信し、ＰＲＳ構成要素２０６がＰＲＳを検出することに少なくとも部分的に基づいて時間期間を判断することと、時間期間を判断することと、時間間隔を適用してＰＲＳ送信のための１つまたは複数の後続の時間期間を判断することとを含むことができる。
【００３５】
一例では、ＰＲＳ構成要素２０６は、タイミング情報にさらに基づいて基地局１０４がある時間期間中にＰＲＳを送信することを判断することができ、再送信構成要素１１４に、時間期間中に受信構成要素１０８において基地局１０４から受信したＰＲＳを再送信することを控えさせることができる。この点について、ＰＲＳを受信するデバイス１０６は、その後、リピータ１０２から再送信されたＰＲＳを受信することなしに、基地局１０４のロケーションとそこから直接受信した信号とに基づいて（たとえば、アドバンストフォワードリンク三辺測量（ＡＦＬＴ：advanced forward link triangulation）、観測到着時間差（ＯＴＤＯＡ：observed time difference of arrival）、または他の測位技法を使用して）測位をより正確に実行することができる。別の例では、ＰＲＳ構成要素２０６は、基地局１０４からＰＲＳを取得し、その間に基地局１０４が別のＰＲＳを送信することになる後続の時間期間を判断し、基地局１０４と整合されたタイミングを用いて後続の時間期間中に取得されたＰＲＳを送信することができる。さらに別の例では、ＰＲＳ構成要素２０６は、（たとえば、リピータ１０２のロケーションにさらに基づいて）デバイス１０６がＡＦＬＴ、ＯＴＤＯＡなどを実行するために利用することができる、リピータ１０２に固有のＰＲＳを生成することができ、基地局１０４からのＰＲＳに干渉しないようにＰＲＳを送信するための時間期間を判断することができる。この例では、ＰＲＳ構成要素２０６は、測位サーバ２０８からＭＳＭ１１２において取得された情報に少なくとも部分的に基づいて、その内に基地局１０４がそれのＰＲＳを送信すべき時間期間を取得することができる。
【００３６】
別の例では、リピータ１０２は、タイミングを補正するために、基地局１０４のタイミングに基づいてタイミングを増分的に調節するためのタイミングアドバンス信号を基地局１０４から受信することができる。この例では、探索構成要素１１６は、説明したように、ＭＳＭ１１２において受信され得るか、またはさもなければＭＳＭ１１２に与えられ得る１つまたは複数の信号に少なくとも部分的に基づいて、１つまたは複数の基地局のタイミングを近似することができる。さらに、探索構成要素１１６において受信され、それによって処理される１つまたは複数の信号は、タイミングアドバンスコマンドを含むことができる。したがって、たとえば、探索構成要素１１６は、基地局１０４のタイミングを維持するために、タイミングアドバンスコマンドに従って基地局１０４の判断されたタイミングを増分的に調整することができる。
【００３７】
図３を参照すると、基地局１０４、リピータ１０２、およびデバイス１０６に関する例示的な送信タイムライン３００が示されている。説明したように、リピータ１０２は、基地局１０４および／またはデバイス１０６から受信した信号を再送信することができる。したがって、たとえば、基地局１０４は、無線信号として変調され、送信されるＯＦＤＭシンボルに対応することができる信号３０２、３０４などを送信することができる。リピータ１０２は、信号３０２、３０４などを受信し、信号を３０６、３０８としてある遅延３２０を伴って再送信する。たとえば、遅延３２０は、送信された時間よりも後の時間に信号を受信すること、信号の少なくとも一部分を処理することなどによって生じ得る。さらに、信号３０６は、その内に信号３０４が受信される時間期間３２２（たとえば、サブフレーム）の一部にわたって再送信されるので、再送信信号３０６は信号３０４の受信に干渉することがある。説明したように、リピータ１０２は、信号３０６によって生じるエコーを受信信号３０４から消去することができる。
【００３８】
たとえば、リピータ１０２は、（たとえば、少なくとも部分的に、ＭＳＭを使用して、信号３０４の情報ブロックを復号すること、信号３０４のチャネルを推定することなどを行うことによって）信号３０４に少なくとも部分的に基づいて基地局１０４のタイミングを判断することができ、ＦＦＴブロック構造を信号３０４と整合させることができる。さらに、一例では、リピータ１０２は、信号３０４中の１つまたは複数の情報ブロックに少なくとも部分的に基づいて判断され得るサイクリックプレフィックスを、ＭＳＭを使用して信号３０４から削除することができる。リピータ１０２は、次いで、信号３０４を収集するためにＦＦＴ／ＩＦＦＴベースチャネル推定を実行することができ、エコー消去信号３０８を生成するためにそこからの信号３０６を消去することができる。リピータ１０２は、説明したように、デバイス１０６などの１つまたは複数のデバイスによって受信され得るエコー消去信号３０８を再送信することができる。リピータ１０２は、信号３１０および３１２など、デバイス１０６からの信号を同様に受信することができ、基地局１０４による受信のために信号３１４および３１６として信号を再送信することができる。さらに、リピータ１０２は、信号３１２に従ってデバイス１０６のタイミングを同様に取得することができ、再送信信号３１４から受信したエコーを信号３１２から消去することができる。
【００３９】
さらに、説明したように、リピータ１０２は、再送信のために基地局１０４からの信号を受信することから、再送信のためにデバイス１０６からの信号を受信することに切り替えることができる。たとえば、これは、対応するリソース（たとえば、周波数、時間など）間で切り替えることを含むことができる。図示された例では、基地局１０４とデバイス１０６とは、その間に基地局１０４もデバイス１０６も信号を送信しないガードサブフレーム３１８を実装することができる。たとえば、これにより、基地局１０４またはデバイス１０６の通信に影響を及ぼすことなしにサブフレーム３１８中での信号漏れが可能になり得る。一例では、リピータ１０２は、信号３０２、３０４、３１０、３１２などから判断されるタイミングに基づいてガードサブフレーム３１８を（たとえば、１つまたは複数のサブフレームの端部として）判断することができ、リピータにおいて電力増幅器の非線形性による影響を緩和するために、ガードサブフレーム３１８中に、基地局からダウンリンク上で信号を受信することと、デバイス１０６からアップリンク上で信号を受信することとの間で切り替えることができる。
【００４０】
図４を参照すると、ＰＲＳまたは他のロケーション／基準信号を送信するための例示的な送信タイムライン４００、４０２、および４０４が示されている。送信タイムライン４００において、基地局１０４は、信号４０６を送信することができ、その信号は、リピータ１０２によって信号４０８として再送信される。さらに、基地局１０４は、リピータ１０２が再送信しないＰＲＳ４１０を送信することができる。たとえば、リピータ１０２は、その間に基地局１０４が（たとえば、ｅＳＭＬＣなどから）ＰＲＳを送信するサブフレームを示す情報を取得することに少なくとも部分的に基づいて信号４１０がＰＲＳであることを判断することができる。ＰＲＳ４１０の再送信を回避することによって、リピータ１０２は、測位を実行する１つまたは複数のデバイスに生じる混乱を緩和することができる。
【００４１】
別の例では、送信タイムライン４０２は基地局１０４と同じＰＲＳを送信するリピータ１０２を示す。この例では、リピータ１０２は、この場合も、その間に基地局１０４がＰＲＳを送信するサブフレームを判断することができる。リピータ１０２は、ＰＲＳ４１２を受信することができる。リピータ１０２がＰＲＳ４１２を再送信するかどうかにかかわらず、リピータ１０２は、説明したように、（たとえば、基地局１０４から受信したＰＲＳ４１２または他の信号から）基地局１０４のタイミングを判断することができ、ＰＲＳおよび／または関係するパラメータを記憶することができる。さらに、リピータ１０２は、その間に基地局１０４が（たとえば、ｅＳＭＬＣ情報に基づいて）ＰＲＳ４１４を送信することになる後続のサブフレームを判断することができる。この判断に基づいて、リピータ１０２は、基地局１０４がＰＲＳ４１４を送信するサブフレームにおいて受信したＰＲＳ４１２としてＰＲＳ４１６を送信することができる。たとえば、ＰＲＳ４１２および４１４は、実質的に同様であり得、したがって、ＰＲＳ４１２をＰＲＳ４１６として再送信することは、ＰＲＳ４１４を遅延なしに送信することと同様であり得る。
【００４２】
さらに別の例では、送信タイムライン４０４は別個のＰＲＳを送信するリピータ１０２を示す。この例では、リピータ１０２は、基地局１０４が（たとえば、ｅＳＭＬＣからの）ＰＲＳ４１８をいつ送信するかを判断することができ、異なるサブフレームにおいてリピータ１０２に固有のＰＲＳ４２０を送信することによる干渉を回避することができる。
【００４３】
図５〜図１０を参照すると、基地局タイミングを判断し、それをリピータ機能を提供することに利用することに関する例示的な方法が示されている。説明を簡単にするために、方法を一連の行為として図示し説明するが、いくつかの行為は、１つまたは複数の実施形態によれば、他の行為と同時に、および／または本明細書で図示し説明する順序とは異なる順序で行われ得るので、方法は行為の順序によって限定されないことを理解および諒解されたい。たとえば、方法は、状態図など、一連の相互に関係する状態またはイベントとして代替的に表現され得ることを諒解されたい。さらに、１つまたは複数の実施形態による方法を実施するために、図示のすべての行為が必要とされるとは限らない。
【００４４】
図５を参照すると、基地局のタイミングを取得し、利用するための例示的な方法５００が示されている。５０２において、１つまたは複数の基地局からの１つまたは複数の信号を受信する。５０４において、１つまたは複数の信号に少なくとも部分的に基づいて１つまたは複数の基地局のタイミングを取得する。説明したように、これは、タイミングを取得するために、組込みＭＳＭに信号を与えることを含むことができる。たとえば、組込みＭＳＭは、タイミング情報を判断すること、信号から１つまたは複数の情報ブロックを取り出すことなどを行うために信号のチャネルを推定することができる。別の例では、１つまたは複数の信号は、ＭＳＭにおいて直接受信され得る（たとえば、再送信は、この時間期間中に中止され得る）。５０６において、１つまたは複数の基地局のタイミングに少なくとも部分的に基づいて１つまたは複数の信号を再送信する。たとえば、再送信信号のエコー消去、アップリンク信号を受信／再送信するように切り替えること、ＰＲＳを判断することなどのために、タイミングは判断されたタイミングと整合され得る。
【００４５】
図６を参照すると、１つまたは複数の基地局から受信した信号からのエコーを消去するための例示的な方法６００が示されている。６０２において、１つまたは複数の基地局から受信した信号に少なくとも部分的に基づいて１つまたは複数の基地局のタイミングを取得する。説明したように、これは、組込みＭＳＭを使用して実行され得る。６０４において、タイミングに少なくとも部分的に基づいて、ＦＦＴブロック構造を信号中の１つまたは複数のシンボルと整合させる。ＦＦＴブロック構造を整合させることによって、たとえば、１つまたは複数の信号中で１つまたは複数の基地局から送信された１つまたは複数のシンボルの処理が実質的に可能になり得る。６０６において、整合させられたＦＦＴブロック構造に少なくとも部分的に基づいてサイクリックプレフィックスを判断し、それを信号から削除する。一例では、サイクリックプレフィックスは、信号中の１つまたは複数の情報ブロックから判断され得る。６０８において、信号のチャネルを推定する。推定は、ＦＦＴブロック構造の整合に基づいて実行されるＦＦＴ／ＩＦＦＴベースチャネル推定であり得る。６１０において、信号を受信すると、以前に再送信された信号に少なくとも部分的に基づいて信号からエコーを消去する。たとえば、ＦＦＴブロック構造が整合されるので、信号の直交性は維持され、したがって、以前に再送信された信号は、受信信号から消去されて、基地局から送信された信号を生じることができる。次いで、この信号は、たとえば、増幅される、再送信される、組込みＭＳＭに与えられるなどされ得る。
【００４６】
図７を参照すると、アップリンクおよびダウンリンク信号の受信と再送信との間で切り替えるための例示的な方法７００が示されている。７０２において、１つまたは複数の基地局から受信した信号に少なくとも部分的に基づいて１つまたは複数の基地局のタイミングを取得する。説明したように、これは、組込みＭＳＭを使用して実行され得る。７０４において、タイミングに少なくとも部分的に基づいてアップリンク送信のための時間を判断する。たとえば、その時間は、基地局が１つまたは複数のデバイスに送信するのを中止し、１つまたは複数のデバイスから信号を受信するサブフレームに対応することができる。したがって、７０６において、時間に基づいてアップリンク上で信号を受信し再送信するように切り替えを行う。一例では、ダウンリンク信号を通信する時間とアップリンク信号を通信する時間との間のガード期間が決定され得、切替えは、たとえば、電力増幅器の非線形性による影響を緩和するために、ガード期間中に行われることがある。
【００４７】
図８を参照すると、ＰＲＳを再送信することを控えることを可能にする例示的な方法８００が示されている。８０２において、１つまたは複数の基地局から受信した信号に少なくとも部分的に基づいて１つまたは複数の基地局のタイミングを取得する。説明したように、これは、組込みＭＳＭを使用して実行され得る。８０４において、その間に１つまたは複数の基地局がＰＲＳを送信する時間期間を判断する。たとえば、これは、タイミングに少なくとも部分的に基づき得る。追加または代替として、時間期間は、１つまたは複数の基地局のための測位サーバから受信した情報に少なくとも部分的に基づいて判断され得る。８０６において、タイミングに少なくとも部分的に基づいて時間期間中にＰＲＳを再送信することを控える。説明したように、これは、ＰＲＳを受信し、処理するデバイスの混乱を緩和することができる。
【００４８】
次に図９を参照すると、ＰＲＳを送信するための例示的な方法９００が示されている。９０２において、１つまたは複数の基地局からＰＲＳを受信する。９０４において、１つまたは複数の基地局から受信したＰＲＳまたは別の信号に少なくとも部分的に基づいて、１つまたは複数の基地局のタイミングを取得する。説明したように、これは、組込みＭＳＭを使用して実行され得る。９０６において、その間に１つまたは複数の基地局が後続のＰＲＳを送信する時間期間を判断する。たとえば、これは、タイミングに少なくとも部分的に基づき得る。追加または代替として、時間期間は、１つまたは複数の基地局のための測位サーバから受信した情報に少なくとも部分的に基づいて判断され得る。９０８において、タイミングに少なくとも部分的に基づいて、時間期間中にＰＲＳを送信する。したがって、デバイスは、後続のＰＲＳとともにＰＲＳを受信することができる。
【００４９】
図１０では、ワイヤレスネットワーク中でＰＲＳを送信すための例示的な方法１０００が示されている。１００２において、１つまたは複数の基地局から受信した信号に少なくとも部分的に基づいて１つまたは複数の基地局のタイミングを取得する。説明したように、これは、組込みＭＳＭを使用して実行され得る。１００４において、その間に１つまたは複数の基地局がＰＲＳを送信する時間期間を判断する。たとえば、これは、タイミングに少なくとも部分的に基づき得る。追加または代替として、時間期間は、１つまたは複数の基地局のための測位サーバから受信した情報に少なくとも部分的に基づいて判断され得る。１００６において、異なる時間期間にわたって異なるＰＲＳを送信する。したがって、異なるＰＲＳはＰＲＳに干渉せず、デバイスは、測位を実行するために、対応するロケーションとともに異なるＰＲＳを少なくとも利用することができる。
【００５０】
本明細書で説明する１つまたは複数の態様によれば、説明したように、１つまたは複数の基地局のタイミングを判断すること、ＰＲＳを送信するための時間期間を判断すること、アップリンクおよびダウンリンク信号の受信と再送信との間で切り替えるためのガード期間を判断することなどに関して推論が行われ得ることを諒解されたい。本明細書で使用する「推論する」または「推論」という用語は、概して、イベントおよび／またはデータを介して捕捉された観察のセットから、システム、環境、および／またはユーザの状態について推理する、またはその状態を推論するプロセスを指す。推論は、特定のコンテキストまたは行為を識別するために使用され得、あるいは、たとえば、状態の確率分布を生成することができる。推論は、確率的、すなわち、データおよびイベントの考察に基づく当該の状態の確率分布の計算であり得る。推論は、イベントおよび／またはデータのセットからより高いレベルのイベントを構成するために採用される技法を指すこともある。そのような推論から、イベントが時間的に近接して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたは行為が構成される。
【００５１】
図１１は、ワイヤレスネットワーク中で通信することができるモバイルデバイス１１００の図である。たとえば、モバイルデバイス１１００は、ＭＳＭ１１２など、１つまたは複数のリピータによって採用されるかまたはそれの内に設けられるＭＳＭと同様であり得る。モバイルデバイス１１００は、たとえば、受信アンテナ（図示せず）から信号を受信する受信機１１０２を備え、受信信号に対して典型的な行為（たとえば、フィルタ処理、増幅、ダウンコンバートなど）を実行し、調整された信号をデジタル化してサンプルを得る。受信機１１０２は、受信したシンボルを復調し、それらをチャネル推定のためにプロセッサ１１０６に与えることができる復調器１１０４を備えることができる。プロセッサ１１０６は、たとえば、受信機１１０２によって受信された情報の分析および／または送信機１１０８による送信についての情報の生成に専用のプロセッサ、モバイルデバイス１１００の１つまたは複数の構成要素を制御するプロセッサ、ならびに／あるいは受信機１１０２によって受信された情報の分析、送信機１１０８による送信についての情報の生成、およびモバイルデバイス１１００の１つまたは複数の構成要素の制御を行うプロセッサであり得る。
【００５２】
モバイルデバイス１１００は、さらに、メモリ１１１０を備えることができ、メモリ１１１０は、プロセッサ１１０６に動作可能に結合され、送信すべきデータ、受信されたデータ、利用可能なチャネルに関係する情報、分析された信号および／または干渉強度に関連するデータ、割り当てられたチャネル、電力、レートなどに関係する情報、ならびにチャネルを推定し、そのチャネルを介して通信するための他の適切な情報を記憶することができる。メモリ１１１０は、さらに（たとえばパフォーマンスベース、容量ベースなどの）チャネルの推定および／または利用に関連するプロトコルおよび／またはアルゴリズムを記憶することができる。
【００５３】
本明細書で説明するデータストア（たとえば、メモリ１１１０）は、揮発性メモリまたは不揮発性メモリのいずれかであり得るか、あるいは揮発性メモリと不揮発性メモリの両方を含むことができることを諒解されよう。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態が利用可能である。主題のシステムおよび方法のメモリ１１１０は、これらおよび他の適切なタイプのメモリを、それらに限定されることなく、備えるものとする。
【００５４】
プロセッサ１１０６は、さらに、随意に、探索構成要素１１６と同様であり得る探索構成要素１１１２に動作可能に結合され得る。モバイルデバイス１１００は、またさらに、たとえば、基地局、別のモバイルデバイスなどへの送信機１１０８による送信のための信号を変調する変調器１１１４を備えることができる。その上、たとえば、モバイルデバイス１１００は、複数のネットワーク（たとえば、無線アクセスネットワーク）インターフェースのための複数の送信機１１０８を備えることができる。プロセッサ１１０６とは別個のものとして図示されているが、復調器１１０４、探索構成要素１１１２、および／または変調器１１１４はプロセッサ１１０６または複数のプロセッサ（図示せず）の一部であり得ることを諒解されたい。
【００５５】
図１２は、ワイヤレス通信を使用して１つまたは複数のデバイスと通信することを可能にするシステム１２００の図である。システム１２００は、（たとえば、複数のネットワーク技術のものであり得る）複数の受信アンテナ１２０６を通して、説明したように、１つまたは複数の基地局、モバイルデバイスなどから（１つまたは複数の）信号を受信する受信機１２１０を有する、リピータ１０２と同様であり得る、リピータ１２０２と、（たとえば、複数のネットワーク技術のものであり得る）複数の送信アンテナ１２０８を通して、１つまたは複数の基地局、モバイルデバイスなどに再送信する送信機１２３２とを備える。さらに、一例では、送信機１２３２は、ワイヤードリンクを介して送信することができる。受信機１２１０は、１つまたは複数の受信アンテナ１２０６から情報を受信することができ、受信した情報を復調する復調器１２１２と動作可能に関連する。さらに、一例では、受信機１２１０は、ワイヤードバックホールリンクから受信することができる。復調されたシンボルは、図１１に関して上記で説明したプロセッサ１１０６と同様であり得るプロセッサ１２１４によって分析され、プロセッサ１２１４は、シンボルに関するタイミングを判断することに関する情報、シンボルからのエコーを消去することに関する情報、受信機を切り替えることに関する情報、ＰＲＳを送信することに関する情報、および／または本明細書に記載の様々な行為および機能を実行することに関する任意の他の好適な情報を記憶することができるメモリ１２１６に結合される。
【００５６】
プロセッサ１２１４は、さらに、随意に、ＭＳＭ１１２、モバイルデバイス１１００などと同様であり得るＭＳＭ１２１８に結合される。ＭＳＭ１２１８は、受信アンテナ１２２０を含むこともができ、受信アンテナ１２２０は、随意に、説明したように、再送信、タイミングの判断などを行うための基地局またはモバイルデバイスからの信号を受信することができる。プロセッサ１２１４はまた、随意に、増幅構成要素１１０と同様であり得る増幅構成要素１２２２、エコー消去構成要素２０２と同様であり得るエコー消去構成要素１２２４、受信機切替え構成要素２０４と同様であり得る受信機切替え構成要素１２２６、および／またはＰＲＳ構成要素２０６と同様であり得るＰＲＳ構成要素１２２８に結合される。さらに、たとえば、送信機１２３２は、再送信構成要素１１４と同様であり得る。
【００５７】
その上、たとえば、プロセッサ１２１４は、変調器１２３０を使用して送信されるべき信号を変調し、送信機１２３２を使用して被変調信号を送信することができる。送信機１２３２は、Ｔｘアンテナ１２０８上で信号をモバイルデバイスに送信することができる。さらに、プロセッサ１２１４とは別個のものとして図示されているが、ＭＳＭ１２１８、増幅構成要素１２２２、エコー消去構成要素１２２４、受信機切替え構成要素１２２６，ＰＲＳ構成要素１２２８、復調器１２１２、および／または変調器１２３０は、プロセッサ１２１４または複数のプロセッサ（図示せず）の一部であり得、ならびに／あるいはプロセッサ１２１４が実行するための命令としてメモリ１２１６中に記憶され得ることを諒解されたい。
【００５８】
図１３を参照すると、関係する基地局のタイミングに従って信号を再送信するシステム１３００が示されている。たとえば、システム１３００は、少なくとも部分的にリピータなどの内に常駐することができる。システム１３００は機能ブロックを含むものとして表されており、その機能ブロックは、プロセッサ、ソフトウェア、ファームウェア、またはそれらの組合せによって実装される機能を表す機能ブロックであり得ることを諒解されたい。システム１３００は、連携して動作することができる構成要素（たとえば、電気構成要素）の論理グルーピング１３０２を含む。たとえば、論理グルーピング１３０２は、１つまたは複数の基地局からの１つまたは複数の信号を受信するための電気構成要素（１３０４）を含むことができる。さらに、論理グルーピング１３０２は、１つまたは複数の信号に少なくとも部分的に基づいて１つまたは複数の基地局のタイミングを取得するための電気構成要素（１３０６）を備えることができる。説明したように、たとえば、これは、チャネルを推定することによってタイミングを判断するためのＭＳＭに１つまたは複数の信号を与えること、信号中の情報ブロックを評価することなどを含むことができる。
【００５９】
さらに、論理グルーピング１３０２はまた、１つまたは複数の基地局のタイミングに少なくとも部分的に基づいて１つまたは複数の信号を再送信するための電気構成要素（１３０８）を備えることができる。一例では、これは、タイミングに基づいてＦＦＴブロック構造を整合させることによって１つまたは複数の信号からのエコーを消去すること、タイミングに基づいてアップリンクまたはダウンリンク信号を受信するように切り替えること、タイミングに基づいてＰＲＳを送信することなどを含むことができる。たとえば、電気構成要素１３０４は、上記で説明したように、受信構成要素１０８または受信機１２１０を含むことができる。さらに、たとえば、電気構成要素１３０６は、上記で説明したように、一態様では、探索構成要素１１６を含むことができる。さらに、電気構成要素１３０８は、たとえば、再送信構成要素１１４、送信機１２３２などを含むことができる。
【００６０】
さらに、システム１３００は、電気構成要素１３０４、１３０６、および１３０８に関連する機能を実行するための命令を保持するメモリ１３１０を含むことができる。メモリ１３１０の外部にあるものとして示されているが、電気構成要素１３０４、１３０６、および１３０８のうちの１つまたは複数は、メモリ１３１０の内部に存在することができることを理解されたい。一例では、電気構成要素１３０４、１３０６、および１３０８は、少なくとも１つのプロセッサを備えることができるか、または、各電気構成要素１３０４、１３０６、および１３０８は、少なくとも１つのプロセッサの対応するモジュールであり得る。さらに、追加または代替の例では、構成要素１３０４、１３０６、および１３０８は、コンピュータ可読媒体を備えるコンピュータプログラム製品であり得、各構成要素１３０４、１３０６、および１３０８は、対応するコードであり得る。
【００６１】
次に図１４を参照すると、本明細書で提示する様々な実施形態によるワイヤレス通信システム１４００が示されている。システム１４００は、複数のアンテナグループを含むことができる基地局１４０２を備える。たとえば、１つのアンテナグループはアンテナ１４０４および１４０６を含み、別のグループはアンテナ１４０８および１４１０を備え、さらなるグループはアンテナ１４１２および１４１４を含むことができる。アンテナグループごとに２つのアンテナが示されているが、グループごとにより多いまたはより少ないアンテナが利用され得る。基地局１４０２は、さらに、送信機チェーンおよび受信機チェーンを含むことができ、送信機チェーンおよび受信機チェーンの各々は、諒解されるように、信号送信および受信に関連する複数の構成要素（たとえば、プロセッサ、変調器、マルチプレクサ、復調器、デマルチプレクサ、アンテナなど）を備えることができる。
【００６２】
基地局１４０２は、モバイルデバイス１４１６およびモバイルデバイス１４２２など１つまたは複数のモバイルデバイスと通信することができるが、基地局１４０２は、モバイルデバイス１４１６および１４２２と同様の実質的にいかなる数のモバイルデバイスとも通信することができることを諒解されたい。モバイルデバイス１４１６および１４２２は、たとえば、セルラーフォン、スマートフォン、ラップトップ、ハンドヘルド通信デバイス、ハンドヘルドコンピューティングデバイス、衛星ラジオ、測位システム（たとえば、ＧＰＳ）、ＰＤＡ、タブレット、スマートブック、ネットブック、および／またはワイヤレス通信システム１４００を介して通信するための他の適切なデバイスであり得る。図示のように、モバイルデバイス１４１６は、アンテナ１４１２および１４１４と通信しており、アンテナ１４１２および１４１４は、順方向リンク１４１８を介して情報をモバイルデバイス１４１６に送信し、逆方向リンク１４２０を介してモバイルデバイス１４１６から情報を受信する。さらに、モバイルデバイス１４２２はアンテナ１４０４および１４０６と通信しており、アンテナ１４０４および１４０６は、順方向リンク１４２４を介して情報をモバイルデバイス１４２２に送信し、逆方向リンク１４２６を介してモバイルデバイス１４２２から情報を受信する。周波数分割複信（ＦＤＤ）システムでは、たとえば、順方向リンク１４１８は、逆方向リンク１４２０によって使用される周波数帯域とは異なる周波数帯域を利用し、順方向リンク１４２４は、逆方向リンク１４２６によって採用される周波数帯域とは異なる周波数帯域を採用することができる。さらに、時分割複信（ＴＤＤ）システムでは、順方向リンク１４１８および逆方向リンク１４２０は共通の周波数帯を利用し、順方向リンク１４２４および逆方向リンク１４２６は共通の周波数帯を利用することができる。
【００６３】
アンテナの各グループおよび／またはそれらが通信するように指定されたエリアは、基地局１４０２のセクタと呼ばれることがある。たとえば、基地局１４０２によってカバーされるエリアのセクタ中のモバイルデバイスに通信するようにアンテナグループを設計することができる。順方向リンク１４１８および１４２４を介した通信では、基地局１４０２の送信アンテナは、モバイルデバイス１４１６および１４２２についての順方向リンク１４１８および１４２４の信号対雑音比を向上させるためにビームフォーミングを利用することができる。さらに、基地局１４０２が、関連するカバレージエリア中に不規則に散在するモバイルデバイス１４１６および１４２２に送信するためにビームフォーミングを利用する間は、基地局が単一のアンテナを介してその基地局のすべてのモバイルデバイスに送信する場合と比較して、隣接セル内のモバイルデバイスは干渉を受けにくいことがある。さらに、モバイルデバイス１４１６および１４２２は、ピアツーピアまたはアドホック技術を使用して互いに直接通信することができる。一例によれば、システム１４００は多入力多出力（ＭＩＭＯ）通信システムであり得る。
【００６４】
さらに、システム１４００は、基地局１４０２からモバイルデバイス１４１６におよび／またはその逆に信号を再送信することを可能にすることができるリピータ１４２８を備える。たとえば、リピータ１４２８は、順方向リンク１４３０を介して基地局１４０２からの信号を受信することができ、順方向リンク１４３２を介してモバイルデバイス１４１６への信号を再送信することができる。したがって、たとえば、モバイルデバイス１４１６は、順方向リンク１４１８および１４３２を介して基地局１４０２に関係する信号を受信することができる。たとえば、リピータ１４２８は、さらに、順方向リンク１４３０を介して受信した信号からのエコーを消去すること、逆方向リンクを介してモバイルデバイス１４１６からの信号を受信するように切り替えること、１つまたは複数のＰＲＳを送信することか、またはそれを再送信することを控えることなど、説明したようにリピータ機能を拡張するために基地局１４０２のタイミングを判断することができる。別の例では、リピータ１４２８は、逆方向リンク１４３４を介してモバイルデバイス１４１６からの信号を受信することができ、同様に、逆方向リンク１４３６を介して基地局１４０２への信号を再送信することができる。
【００６５】
図１５に、例示的なワイヤレス通信システム１５００を示す。ワイヤレス通信システム１５００には、簡潔のために、１つの基地局またはモバイルデバイス１５１０と１つのリピータ１５５０とを示してある。ただし、システム１５００は２つ以上の基地局、モバイルデバイス、リピータなどを含むことができ、追加の基地局、モバイルデバイス、および／またはリピータは、以下で説明する例示的な基地局またはモバイルデバイス１５１０およびリピータ１５５０と実質的に同様または異なるものであり得ることを諒解されたい。さらに、基地局またはモバイルデバイス１５１０および／またはリピータ１５５０は、それらの間のワイヤレス通信を可能にするために、本明細書で説明するシステム（図１〜図２および図１２〜図１４）、送信タイムライン（図３〜図４）、方法（図５〜図１０）、および／またはモバイルデバイス（図１１）を採用することができることを諒解されたい。たとえば、本願明細書で説明するシステムの構成要素または機能および／あるいは方法は、メモリ１５３２および／または１５７２の一部、あるいは以下で説明するプロセッサ１５３０および／または１５７０であり得、ならびに／あるいは開示する機能を実行するために、プロセッサ１５３０および／または１５７０によって実行され得る。
【００６６】
基地局またはモバイルデバイス１５１０において、いくつかのデータストリームのトラフィックデータがデータソース１５１２から送信（ＴＸ）データプロセッサ１５１４に与えられる。一例によれば、各データストリームはそれぞれのアンテナを介して送信され得る。ＴＸデータプロセッサ１５１４は、トラフィックデータストリーム用に選択された特定のコーディング方式に基づいてそのデータストリームをフォーマットし、コーディングし、インタリーブして、符号化データを供給する。
【００６７】
各データストリームの符号化データは、たとえば、直交周波数分割多重（ＯＦＤＭ）技法などの様々な技法を使用してパイロットデータで多重化され得る。たとえば、パイロットシンボルは、周波数分割多重化（ＦＤＭ）、時分割多重化（ＴＤＭ）、または符号分割多重化（ＣＤＭ）され得る。パイロットデータは、一般に、知られている方法で処理される知られているデータパターンであり、チャネル応答を推定するためにリピータ１５５０において使用され得る。一例では、リピータ１５５０は、さらに、チャネル応答を推定するためにＭＳＭを備えることができる。各データストリームの多重化されたパイロットおよび符号化データは、そのデータストリーム用に選択された特定の変調方式（たとえば、２位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ）など）に基づいて変調（たとえば、シンボルマッピング）され得、変調シンボルを与えることができる。各データストリームのデータ速度、コーディング、および変調は、プロセッサ１５３０によって実行または与えられる命令によって判断され得る。
【００６８】
データストリームの変調シンボルはＴＸ  ＭＩＭＯプロセッサ１５２０に与えられ、ＴＸ  ＭＩＭＯプロセッサ１５２０は、さらに（たとえば、ＯＦＤＭ用に）変調シンボルを処理することができる。次いで、ＴＸ  ＭＩＭＯプロセッサ１５２０は、ＮT個の変調シンボルストリームをＮT個の送信機（ＴＭＴＲ）１５２２ａ〜１５２２ｔに供給する。様々な実施形態では、ＴＸ  ＭＩＭＯプロセッサ１５２０は、データストリームのシンボルと、シンボルの送信元のアンテナとにビームフォーミング重みを適用する。
【００６９】
各送信機１５２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。さらに、送信機１５２２ａ〜１５２２ｔからのＮT個の被変調信号は、ＮT個のアンテナ１５２４ａ〜１５２４ｔからそれぞれ送信される。
【００７０】
リピータ１５５０において、送信された被変調信号はＮR個のアンテナ１５５２ａ〜１５５２ｒによって受信され、各アンテナ１５５２からの受信信号は、それぞれの受信機（ＲＣＶＲ）１５５４ａ〜１５５４ｒに供給される。各受信機１５５４は、それぞれの信号を調整（たとえば、フィルタ処理、増幅、およびダウンコンバート）し、調整された信号をデジタル化して、サンプルを与え、さらに、それらのサンプルを処理して、対応する「受信」シンボルストリームを供給する。
【００７１】
ＲＸデータプロセッサ１５６０は、特定の受信機処理技法に基づいてＮR個の受信機１５５４からＮR個の受信シンボルストリームを受信し、処理して、ＮT個の「検出」シンボルストリームを与えることができる。ＲＸデータプロセッサ１５６０は、各検出シンボルストリームを復調し、デインタリーブし、復号して、データストリームのトラフィックデータを復元することができる。ＲＸデータプロセッサ１５６０による処理は、基地局またはモバイルデバイス１５１０においてＴＸ  ＭＩＭＯプロセッサ１５２０およびＴＸデータプロセッサ１５１４によって実行される処理を補足するものである。ＴＸデータプロセッサ１５３８は、受信した検出シンボルストリーム、データソース１５３６からの１つまたは複数の他のデータストリームなどを再送信することができる。たとえば、変調器１５８０は、シンボルストリームを変調することができ、送信機１５５４ａ〜１５５４ｒは、そのシンボルストリームを調整し、再送信することができる。
【００７２】
別の例では、基地局またはモバイルデバイス１５１０は、リピータ１５５０からの再送信を受信することができる。この例では、リピータ１５５０からの変調信号は、アンテナ１５２４によって受信され、受信機１５２２によって調整され、復調器１５４０によって復調され、ＲＸデータプロセッサ１５４２によって処理されて、リピータ１５５０から送信メッセージが抽出される。さらに、プロセッサ１５３０は、抽出されたメッセージを処理して、ビームフォーミング重みを判断するためにどのプリコーディング行列を使用すべきかを判断することができる。
【００７３】
プロセッサ１５３０および１５７０は、それぞれ基地局またはモバイルデバイス１５１０およびリピータ１５５０における動作を指示（たとえば、制御、調整、管理など）することができる。それぞれのプロセッサ１５３０および１５７０は、プログラムコードおよびデータを記憶するメモリ１５３２および１５７２に関連付けられ得る。プロセッサ１５３０および１５７０はまた、説明したように、再送信を実行すること、エコーを消去すること、アップリンクおよびダウンリンク信号の受信と再送信との間で切り替えること、ＰＲＳを送信することなどを行うための基地局またはモバイルデバイス１５１０のタイミングを判断することができる。
【００７４】
本明細書で開示した実施形態に関して説明した様々な例示的な論理、論理ブロック、モジュール、構成要素、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上述のステップおよび／または行為の１つまたは複数を実行するように動作可能な１つまたは複数のモジュールを備え得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別構成要素として常駐し得る。
【００７５】
１つまたは複数の態様では、説明した機能、方法またはアルゴリズムは、ハードウェア、ソフトウェア、ファームウェア、またはそれらの任意の組合せで実装され得る。ソフトウェアで実装する場合、機能は、１つまたは複数の命令またはコードとして、コンピュータプログラム製品に組み込まれ得る、コンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、実質的にいかなる接続もコンピュータ可読媒体と呼ばれ得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【００７６】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。
【図１】
2013542639.tif 000003
【図２】
2013542639.tif 000004
【図３】
2013542639.tif 000005
【図４】
2013542639.tif 000006
【図５】
2013542639.tif 000007
【図６】
2013542639.tif 000008
【図７】
2013542639.tif 000009
【図８】
2013542639.tif 000010
【図９】
2013542639.tif 000011
【図１０】
2013542639.tif 000012
【図１１】
2013542639.tif 000013
【図１２】
2013542639.tif 000014
【図１３】
2013542639.tif 000015
【図１４】
2013542639.tif 000016
【図１５】
2013542639.tif 000017
【国際調査報告】
2013542639.tif 000018
2013542639.tif 000019
2013542639.tif 000020
2013542639.tif 000021
2013542639.tif 000022
2013542639.tif 000023
2013542639.tif 000024